(57)【要約】【課題】ハンドルの軋み音の発生を防ぐことが可能な美容器を提供する。【解決手段】使用者が把持するハンドル１０を備えた美容器Ｍであって、前記ハンドル１０の外面を形成するハンドルカバー６０が、互いに合わせられる第１カバー体６０Ｆ及び第２カバー体６０Ｓを具備し、前記第１カバー体６０Ｆの外縁部７３Ｆは、外面側が外周に沿って切り欠かれた第１外側端面９０Ｆを有しており、第２カバー体６０Ｓの外縁部７３Ｓは、前記ハンドルカバー６０の内側と外側とを一続きに連通するとともに外側から内側を視認することができない隙間９５を形成して前記第１外側端面９０Ｆに対向した第２外側端面９０Ｓを備えている。【選択図】図４
2019130027.tif 000002
【特許請求の範囲】
【請求項１】
使用者が把持するハンドルを備えた美容器であって、
前記ハンドルの外面を形成するハンドルカバーが、互いに合わせられる第１カバー体及び第２カバー体を具備し、
前記第１カバー体又は前記第２カバー体の一方の外縁部は、外面側が外周に沿って切り欠かれた第１外側端面を有しており、
前記第１カバー体又は前記第２カバー体の他方の外縁部は、前記ハンドルカバーの内側と外側とを一続きに連通するとともに外側から内側を視認することができない隙間を形成して前記第１外側端面に対向した第２外側端面を備えている美容器。
【請求項２】
前記ハンドルが、回転体を回転自在に支持する支持軸部を有し、
前記第１カバー体及び前記第２カバー体が、互いに合わせられたときに前記支持軸部の一部を構成する分割軸部を有し、
前記分割軸部にのみ前記第１カバー体及び前記第２カバー体が互いに接触する接触部が設けられている請求項１に記載の美容器。
【請求項３】
前記ハンドルが、前記ハンドルの芯材を構成するハンドルベースを有し、
前記第１カバー体及び前記第２カバー体が、前記ハンドルベースを内側に挟むようにして合わせられる請求項１または請求項２に記載の美容器。
【請求項４】
前記ハンドルベースに、電気部品が収容される収容部が設けられ、
前記ハンドルカバーに、前記収容部を覆うカバー部が設けられ、
前記収容部の周縁部と前記カバー部とに密着して前記収容部に液体が浸入することを防ぐシール部材が備えられている請求項３に記載の美容器。
【請求項５】
前記第１カバー体が、前記ハンドルベースに固定部品により固定され、
前記第２カバー体又は前記ハンドルベースが、前記第２カバー体を前記ハンドルベースに取り付けた際に当接する点状をなす当接部を有しており、
前記当接部により前記第１外側端面と前記第２外側端面との隙間が確保されている請求項３または請求項４に記載の美容器。
【発明の詳細な説明】
【技術分野】
【０００１】
本発明は、美容器に関する。
【背景技術】
【０００２】
従来、ハンディタイプの美容器として、例えばハンドルの先端に設けられた回転体を身体へ押し付けながら転動させるものが知られている。使用者は、ハンドルを把持して回転体を肌に当てて転がすことにより、各種の美容的作用を得ることができる。例えば下記特許文献１に記載された美容器のハンドルは、芯材を構成するハンドルベースと、ハンドルベースの外面を覆うハンドルカバーとを備えている。ハンドルカバーは、第１カバー体及び第２カバー体に分割されている。ハンドルは、ハンドルベースを内側に挟んで第１カバー体及び第２カバー体を合体させることにより組み立てられる。
【先行技術文献】
【特許文献】
【０００３】
【特許文献１】特開２０１３−１０３０８５号公報
【発明の概要】
【発明が解決しようとする課題】
【０００４】
しかしながら、上記のような構成では、使用者がハンドルを握って美容器を操作する際、第１カバー体及び第２カバー体の外縁部が擦れ合って、不快な軋み音となって使用者に伝わってしまうことが懸念された。
【０００５】
本発明は上記のような事情に基づいて完成されたものであって、ハンドルの軋み音の発生を防ぐことが可能な美容器を提供することを目的とする。
【課題を解決するための手段】
【０００６】
本発明の美容器は、使用者が把持するハンドルを備えた美容器であって、前記ハンドルの外面を形成するハンドルカバーが、互いに合わせられる第１カバー体及び第２カバー体を具備し、前記第１カバー体又は前記第２カバー体の一方の外縁部は、外面側が外周に沿って切り欠かれた第１外側端面を有しており、前記第１カバー体又は前記第２カバー体の他方の外縁部は、前記ハンドルカバーの内側と外側とを一続きに連通するとともに外側から内側を視認することができない隙間を形成して前記第１外側端面に対向した第２外側端面を備えているものである。
【発明の効果】
【０００７】
本発明によれば、第１カバー体の外縁部と第２カバー体の外縁部とが擦れ合うことを防ぐことができるから、ハンドルの軋み音を防ぐことができる。また、第１カバー体の外縁部と第２カバー体の外縁部との隙間からハンドルベースが露出することを防ぐことができる。
【図面の簡単な説明】
【０００８】
【図１】本実施例における美容器を示す背面図
【図２】美容器を示す分解斜視図
【図３】美容器を示す断面図であって、図１のＡ−Ａ位置における断面に相当する断面図
【図４】美容器を示す断面図であって、図１のＢ−Ｂ位置における断面に相当する断面図
【図５】美容器を示す断面図であって、図１のＣ−Ｃ位置における断面に相当する断面図
【図６】ハンドルベースを示す斜視図
【図７】ハンドルベースを示す正面図
【図８】ハンドルベースを示す背面図
【図９】ハンドルベースに収容された電気部品の配置を示す図
【図１０】第１カバー体の内面を示す図
【図１１】第２カバー体の内面を示す図
【図１２】第１カバー体と第２カバー体とを合わせた状態を示す斜視図
【図１３】回転軸を間に挟んで合わせられた状態の分割軸部にリング部材を嵌める様子を示す図
【図１４】リング部材が嵌められた状態の支持軸部を示す断面図であって、図１３のＤ−Ｄ位置における断面に相当する断面図
【発明を実施するための形態】
【０００９】
本発明の好ましい形態を以下に示す。
本発明の美容器は、前記ハンドルが、回転体を回転自在に支持する支持軸部を有し、前記第１カバー体及び前記第２カバー体が、互いに合わせられたときに前記支持軸部の一部を構成する分割軸部を有し、前記分割軸部にのみ前記第１カバー体及び前記第２カバー体が互いに接触する接触部が設けられているものとしてもよい。このような構成によれば、第１カバー体の外縁部及び第２カバー体の外縁部の概ね全体が擦れ合うことを防ぐことで、ハンドルの軋み音を効果的に防ぐことができる。また、分割軸部が互いに接触した状態で保持されることで、支持軸部のガタつきを防ぐことができる。
【００１０】
また、本発明の美容器は、前記ハンドルが、前記ハンドルの芯材を構成するハンドルベースを有し、前記第１カバー体及び前記第２カバー体が、前記ハンドルベースを内側に挟むようにして合わせられるものとしてもよい。このような構成によれば、ハンドルの強度を高めることができる。
【００１１】
また、本発明の美容器は、前記ハンドルベースに、電気部品が収容される収容部が設けられ、前記ハンドルカバーに、前記収容部を覆うカバー部が設けられ、前記収容部の周縁部と前記カバー部とに密着して前記収容部に液体が浸入することを防ぐシール部材が備えられているものとしてもよい。このような構成によれば、第１カバー体の外縁部と第２カバー体の外縁部との隙間からハンドルカバー内に液体が浸入したとしても、収容部内に液体が浸入することを防ぐことができるから、電気部品を保護することができる。
【００１２】
また、本発明の美容器は、前記第１カバー体が、前記ハンドルベースに固定部品により固定され、前記第２カバー体又は前記ハンドルベースが、前記第２カバー体を前記ハンドルベースに取り付けた際に当接する点状をなす当接部を有しており、前記当接部により前記第１外側端面と前記第２外側端面との隙間が確保されているものとしてもよい。このような構成によれば、第２カバー体とハンドルベースとが面当たりしないから、第２カバー体とハンドルベースとが擦れ合うことを防ぐことができる。したがって、第１カバー体の外縁部と第２カバー体の外縁部との擦れ合いによる軋み音のみならず、第２カバー体とハンドルベースとの擦れ合いによるハンドルの軋み音をも防ぐことができるから、美容器の使用感を向上することができる。
【００１３】
＜実施例＞
以下、本発明を具体化した一実施例について、図１〜図１４を参照しつつ詳細に説明する。
本実施例における美容器Ｍは、図１に示すように、握り操作用のハンドル１０と、肌等に当てて転動される一対の回転体８０とを備えている。ハンドル１０は全体として一方向に長い形状をなし、長手方向における一端部が、分岐して二股状に突出し、回転体８０を回転自在に支持する一対の支持軸部１１となっている。ハンドル１０の断面形状は、図４に示すように、幅方向（短手方向）に長い楕円形状をなしている。以下、各構成部材において、図２の上側（使用者の肌等に向けられる側）を表方、図２の下側を裏方として説明する。
【００１４】
ハンドル１０は、芯材を構成するハンドルベース２０と、ハンドルベース２０の外面を形成するハンドルカバー６０と、を有している。
ハンドルカバー６０は、ハンドルベース２０を内側に挟むようにして合わせられる第１カバー体６０Ｆ及び第２カバー体６０Ｓを有し、第１カバー体６０Ｆ及び第２カバー体６０Ｓのそれぞれがハンドルベース２０に取り付けられることにより、第１カバー体６０Ｆの外縁部７３Ｆと第２カバー体６０Ｓの外縁部７３Ｓとの間に、隙間９５（後述する外側横隙間９５Ｙ及び外側縦隙間９５Ｔ）と、後述する内側横隙間９６とが確保されている。
【００１５】
第１カバー体６０Ｆは、ハンドルベース２０に固定部品Ｆにより固定され、第２カバー体６０Ｓとハンドルベース２０とは、点状をなす当接部５１により互いに当接している。本実施例では、第１カバー体６０Ｆがハンドルベース２０の裏側を覆い、第２カバー体６０Ｓがハンドルベース２０の表側を覆っている。
【００１６】
ハンドルベース２０は、ＡＢＳ樹脂等の合成樹脂製であって、第１カバー体６０Ｆ及び第２カバー体６０Ｓによって包み込まれるようにして覆われている。ハンドルベース２０は、図６に示すように、主体となる基部２１と、支持軸部１１の一部を構成する一対の軸筒部２２とを備えている。
【００１７】
基部２１は、図７に示すように、長手方向の中央部において最も幅広であり、長手方向の両端部に行くにつれて徐々に幅狭となっている。また基部２１は、図３に示すように、長手方向における両端部が中心部よりも表側（図３では右側）に位置する弓反り状をなしている。基部２１のうち軸筒部２２とは反対側の端部には、第２カバー体６０Ｓに係止する引掛け部２３が設けられている。引掛け部２３は、図６に示すように、基部２１の端部を切り欠いて形成してなる引掛け面２３Ｍと、引掛け面２３Ｍに突設された引掛け爪２３Ｔとを備えている。
【００１８】
基部２１の表面２４は、図４に示すように、第２カバー体６０Ｓの内面に沿っている。基部２１の表面２４は、ハンドル１０の断面形状に沿って、図６に示すように、幅方向における中央部２４Ｃが両端部よりも表側（図６では上側）に位置するように湾曲している。基部２１の表面２４は、中央部２４Ｃから幅方向の両端に向かって裏側（図６では下側）に傾く側面部２４Ｓを有している。基部２１の外周には、表裏方向に立った外周面２１Ｍが形成されている。
【００１９】
基部２１の表面２４には、図６に示すように、第２カバー体６０Ｓに当接する当接部５１が設けられている。当接部５１は、基部２１の表面２４の複数個所に設けられている。
【００２０】
当接部５１は、図７に示すように、ハンドル１０の長手方向においては複数個所（本実施例では４か所）にわかれて配置されている。当接部５１は、第１カバー体６０Ｆが固定される複数の固定部２８のうちハンドルベース２０の長手方向における中央部に位置する固定部２８を間に一端側と他端側とに同数ずつ配されている。
【００２１】
当接部５１は、ハンドル１０の短手方向（幅方向）においては一対ずつ並んで配されている。当接部５１は、ハンドル１０の幅方向における両端に寄った位置、すなわち基部２１の側面部２４Ｓに配されている。当接部５１は、図７に示すように、ハンドルベース２０の幅方向における中心線Ｌ１を基準に対称に配置されている。また、当接部５１は、ハンドルベース２０の一方の外縁（図７では右側の外縁）２４Ｒと略平行をなす平行ラインＬ２上、及びハンドルベース２０の他方の外縁（図７では左側の外縁）２４Ｌと略平行をなす平行ラインＬ３上に配置されている。ハンドルベース２０の外縁２４Ｒ，２４Ｌは、図６に示すように、表面２４の外縁であって、表面２４と外周面２１Ｍとが交差する縁である。外周面２１Ｍは、図４に示すように、表裏方向に立ち上がった面であり、第１カバー体６０Ｆの第２シール面６２と対向する面である。なお、当接部５１の位置は、ハンドルベース２０の外縁２４Ｒまたは外縁２４Ｌに近いほど望ましい。
【００２２】
各当接部５１は、それぞれ方形状をなしている。各当接部５１は、第２カバー体６０Ｓが取り付けられたときに、第２カバー体６０Ｓに対し常に接触した状態に保持され、第２カバー体６０Ｓとハンドルベース２０との間に所定の隙間を確保するスペーサとしての機能を発揮する。当接部５１が方形状であることにより、例えば図７の拡大図で示すように、当接部が円形状である場合に比して、４つの角部がある分だけ第２カバー体６０Ｓとの当接面を増すことができる。各当接部５１は、後述するシール部材５０に一体に設けられている。
【００２３】
基部２１は、図４に示すように、裏面側（図４では上側）の全体が開放された有底の浅鉢状に形成されている。基部２１の裏面には、電気部品等（本実施例では太陽光電池パネル４０や重り４２等）が収容される収容部２６が設けられている。収容部２６は、第１カバー体６０Ｆにより覆われる。
【００２４】
収容部２６の周縁部には、第１カバー体６０Ｆに密着して収容部２６に液体が浸入することを防ぐシール部材５０が備えられている。
シール部材５０は、ハンドルベース２０及びハンドルカバー６０より柔らかい軟質のゴム材によって形成されている。シール部材５０は、収容部２６をシールするシール部５２と、第２カバー体６０Ｓに当接する当接部５１とを、一体に備えたものである。
【００２５】
シール部材５０は、本実施例では、二色成形によりハンドルベース２０に一体化されて固着されている。すなわち一次成形時にハンドルベース２０が形作られ、二次成型時にシール部材５０が形作られる。各当接部５１は、一次成形時にハンドルベース２０に形成された貫通穴２５において、二次成形時に成形肉が基部２１の裏側から表側へ向けて流動することによって、基部２１の表面から突出して形成される。
【００２６】
シール部５２は、図８に示すように、収容部２６の開口縁の全長にわたって閉じた枠状をなしている。シール部５２は、図４に示すように、ハンドルベース２０から第１カバー体６０Ｆとの合わせ方向（裏方であって図４では上方）に突出する第１シール部５２Ｆと、ハンドルベース２０から合わせ方向と交差する方向（図４では左方及び右方）に突出する第２シール部５２Ｓとを備えている。
【００２７】
シール部５２は、第１カバー体６０Ｆの外縁部７３Ｆの内側に密着する。詳しくは、第１シール部５２Ｆは、第１カバー体６０Ｆの外縁部７３Ｆの内面のうち合わせ方向と交差する面（以後、第１シール面６１と称する）に密着する。第２シール部５２Ｓは、第１カバー体６０Ｆの外縁部７３Ｆの内面のうち合わせ方向に立ち上がっている面（以後、第２シール面６２と称する）に密着する。
【００２８】
当接部５１は、連結部５３によりシール部５２と個別に繋げられてシール部５２の内側に配されている。連結部５３は、図４に示すように、第１シール部５２Ｆから基部２１の内面に沿って立ち上がっている。当接部５１は、連結部５３の先端の内側に設けられ、ハンドルベース２０の貫通穴２５を埋めている。
【００２９】
太陽光電池パネル４０は、図９に示すように、略長方形状でかつ薄いプレート状に形成され、収容部２６に設けられた支持枠２７に支持されている。太陽光電池パネル４０は、収容部２６の長手方向の中央部より軸筒部２２寄りの領域に配置されている。太陽光電池パネル４０のプラス及びマイナス側の電極には、それぞれリード線４８を介してリング状の端子４１Ａ，４１Ｂが備えられている。
【００３０】
重り４２は金属製であって、直方体形状に形成されている。重り４２は、収容部２６の長手方向の中央部より引掛け部２３寄りの領域に配置されている。重り４２が設けられることで、一対の回転体８０とのバランスがとられ、ハンドル１０の中央に重心が寄り、持ちやすくなる。
【００３１】
重り４２は、収容部２６に突設された一対の差込み部３１Ｆ，３１Ｓに貫通されて位置決めされている（図３参照）。
一対の差込み部３１Ｆ，３１Ｓのうち引掛け部２３に近い側に位置する差込み部３１Ｆには、ネジ４３により太陽光電池パネル４０のプラス側の端子４１Ａが接続されている。端子４１Ａは、導電性メッキが施された金属製の座金４４を介して重り４２に導通状態で接続されている。
【００３２】
一対の差込み部３１Ｆ，３１Ｓのうちハンドル１０の長手方向の中央側に位置する差込み部３１Ｓには、金属製のばね部材４５が装着されている。ばね部材４５は、圧縮コイルばねであり、ばね部材４５の内側に、差込み部３１Ｓが差し込まれている。
【００３３】
差込み部３１Ｓの先端部（ばね部材４５より先に突出した部分）は、第１カバー体６０Ｆの内面に形成された筒状をなす受け部６３に差し込まれ、受け部６３の端面と重り４２の外面とにばね部材４５が当接している。受け部６３には、後述するようにハンドルカバー６０の外面に連なって金属メッキが施されており、ばね部材４５を介してハンドルカバー６０の金属メッキと重り４２とが導通状態に接続される。これにより、ハンドル１０の外面が太陽光電池パネル４０のプラス側電極に電気的に接続される。
【００３４】
太陽光電池パネル４０のマイナス側の端子４１Ｂは、図９に示すように、後述する一対の回転軸１２に導通接続された導電部材４６に、ネジ４７により導通状態で接続されている。回転軸１２は、後述する導電性の軸受部材１５を介して回転体８０の金属メッキに電気的に接続される。これにより、一対の回転体８０の外面が太陽光電池パネル４０のマイナス側電極に電気的に接続される。なお、図５に示すように、支持軸部１１と回転体８０との間に所定の間隔が確保されることにより、ハンドル１０と回転体８０との間は電気的に絶縁されている。
【００３５】
ハンドルベース２０には、図３及び図７に示すように、ハンドルカバー６０を固定するための固定部２８が複数設けられている。
複数の固定部２８は、ハンドルベース２０の長手方向に所定の間隔をおいて配されている。各固定部２８が設けられた位置は、本実施例においては、基部２１における長手方向の中央部に一対と、引掛け部２３の近傍及び一対の軸筒部２２の近傍（各軸筒部２２の中心軸が交差する交点の位置の近傍）に一ずつとなっている。
【００３６】
各固定部２８には、固定部品Ｆであるねじを締め付けるための固定孔２９が形成されている。固定孔２９は、ハンドルベース２０を表裏方向に貫通して形成されている。
【００３７】
一対の軸筒部２２は、それぞれ円形断面を有する全周が閉じた筒状をなしている。各軸筒部２２の内部には、回転体８０を回転可能に支持する回転軸１２が挿入される（図５参照）。
【００３８】
回転軸１２は金属製（例えばステンレス製）であり、表面には導電材よりなるメッキ（無電解ニッケルメッキ）が施されている。回転軸１２の軸方向における中間部には、図２及び図５に示すように、フランジ部１３が一体に張り出し形成されている。回転軸１２は、フランジ部１３より一端側が軸筒部２２内に差し込まれ、他端側が軸筒部２２から突出している。軸筒部２２の内周面と回転軸１２の外周面との間にはシールリング１４が嵌着されている。フランジ部１３は、軸筒部２２の端面２２Ｍに突き当てられている。回転軸１２のうち軸筒部２２に差し込まれた端部には、太陽光電池パネル４０のマイナス側電極に接続された導電部材４６が接続されている。
【００３９】
回転軸１２のうち軸筒部２２から突出している部分には、回転軸１２に対して回転可能な軸受部材１５が装着されている。軸受部材１５は導電性樹脂材（例えば導電性を有するポリアセタール）にて形成されている。軸受部材１５は、回転軸１２の先端に取り付けられたＥリング１６により抜け止めされている。Ｅリング１６は金属製であり、Ｅリング１６と軸受部材１５との間には、軸受部材１５の摩耗を防ぐとともにＥリング１６と軸受部材１５との隙間を埋めるスペーサ３２が配されている。
【００４０】
軸受部材１５は、回転体８０に係止する一対の係止部１７を有している。一対の係止部１７は、自然状態では軸受部材１５の外周面から突出し、軸受部材１５が回転体８０の軸受収容部８３に収容される過程では、軸受収容部８３に設けられた係止突部８４に摺接して径方向内側へ撓み変形し、軸受部材１５が軸受収容部８３に収容された状態では、係止突部８４を通過して弾性復帰し、係止突部８４に係止する。
【００４１】
軸受部材１５には、軸受収容部８３の開口周縁部に当接する鍔部１８が張り出し形成されている。軸受部材１５は、鍔部１８と係止部１７とによって回転体８０に固定される。また、軸受部材１５のうち鍔部１８及び鍔部１８の近傍が、回転体８０の金属メッキに当接し、軸受部材１５と回転体８０とが導通状態になる。
【００４２】
軸受部材１５の鍔部１８と回転軸１２のフランジ部１３との間には、鍔部１８の摩耗を防ぐべくＯリング１９が挟み込まれている。これにより、軸受部材１５の滑りが良好なままに保持され、回転体８０の良好な回転性が維持される。
【００４３】
回転体８０は、合成樹脂製（例えばＡＢＳ樹脂）の球体状をなすコア体８１と、コア体８１の外周に被覆成形された外被８２とを備えて構成されている。回転体８０には、軸受部材１５が収容される軸受収容部８３が設けられている。軸受収容部８３は、略円形の断面を有して回転体８０の内部に形成されている。
【００４４】
軸受収容部８３には、軸受部材１５が係止する係止突部８４が設けられている。係止突部８４は、軸受収容部８３の内周面から内向きに突出している。係止突部８４は、軸受収容部８３の全周にわたり連続している。
【００４５】
回転体８０の外面には、導電金属メッキ（例えばプラチナメッキ）が施されている。導電金属メッキは、外被８２の外面の全体及び軸受収容部８３の開口部近傍にわたり連続して被覆している。なお、回転体８０の外面には、いわゆるダイヤカットが施されている。
【００４６】
コア体８１は、軸受収容部８３が貫通形成されたコア本体８５と、コア本体８５の先端側に嵌着されて軸受収容部８３の一端側を塞ぐコアキャップ８６とを備えている。コア体８１は、コア本体８５とコアキャップ８６とが合体した状態で、全体として球体状をなしている。回転体８０は、コア本体８５とコアキャップ８６とを合体状態にしてなるコア体８１をインサートして外被８２を一体に成形してなる。
ハンドルカバー６０は合成樹脂製（例えばＡＢＳ樹脂）であって、内面及び外面の概ね全体に導電性の金属メッキ（例えばクロムメッキ）が施されている。
【００４７】
第１カバー体６０Ｆには、図１０に示すように、固定部品Ｆにより固定される被固定部６４が設けられている。被固定部６４は、固定部品Ｆであるねじをねじ込み可能な筒状をなして第１カバー体６０Ｆの内面に突設されている。被固定部６４は、ハンドルベース２０の固定部２８に対応する位置に設けられている。本実施例では、固定部品Ｆは、パッキン付きのねじであり、図３に示すように、被固定部６４が固定部２８に突き当てられた状態で、ハンドルベース２０側から固定部品Ｆが挿通されてねじ込まれる。これにより、ハンドルベース２０と第１カバー体６０Ｆとの連結及びハンドルベース２０の固定部２８と第１カバー体６０Ｆの被固定部６４とにおける止水がなされる。
【００４８】
第１カバー体６０Ｆは、収容部２６を覆うカバー部を構成している。第１カバー体６０Ｆには、太陽光電池パネル４０と対応する部位に、窓孔６５が開口して形成されている。窓孔６５には透光性を有する材質（例えば透明なアクリル樹脂）にて形成されたレンズ部材６６が固定ネジ６７により固定されている。窓孔６５の周縁部とレンズ部材６６との間にはシールリング６８が挟み込まれ、窓孔６５からの液体の浸入が防止されている。
【００４９】
第２カバー体６０Ｓは、図２に示すように、ハンドルベース２０の表面２４に沿う形状をなしている。第２カバー体６０Ｓは、図１１に示すように、長手方向の中央部において最も幅広であり、長手方向の両端部に行くにつれて徐々に幅狭となっている。また第２カバー体６０Ｓは、図３に示すように、長手方向における両端部が中心部よりも表側（図３では右側）に位置する弓反り状をなしている。第２カバー体６０Ｓの内面は、ハンドルベース２０の表面２４に沿って湾曲しており、ハンドルベース２０に設けられた当接部５１が当接した状態になる。
【００５０】
第２カバー体６０Ｓには、図３に示すように、ハンドルベース２０の引掛け部２３に引っ掛けられる掛止め部７２が設けられている。掛止め部７２は、引掛け面２３Ｍに沿うように立つ掛止め壁７２Ｋに、引掛け爪２３Ｔが係止する掛止め孔７２Ｈが形成されてなる。
【００５１】
第１カバー体６０Ｆ及び第２カバー体６０Ｓは、図１２に示すように、互いに合わせられて支持軸部１１の一部を構成する分割軸部６９Ｆ，６９Ｓを有している。各分割軸部６９Ｆ，６９Ｓは、図５に示すように、ハンドルベース２０の軸筒部２２に外嵌可能であり、図１２に示すように、断面半円形状をなしている。合体状態の一対の分割軸部６９Ｆ，６９Ｓには、図１３に示すように、リング部材７１が嵌着される。リング部材７１が分割軸部６９Ｆ，６９Ｓに嵌着されることにより、分割軸部６９Ｆ，６９Ｓの開きが防止されるとともに、分割軸部６９Ｆ，６９Ｓが締め付けられてがたつきが規制される。なお、図１３では、リング部材７１と分割軸部６９Ｆ，６９Ｓとの嵌合構造をわかりやすく示すために、リング部材７１のみを断面で示している。
【００５２】
分割軸部６９Ｆ，６９Ｓには、図１２〜図１４に示すように、第１カバー体６０Ｆ及び第２カバー体６０Ｓが互いに接触する接触部７６Ｆ，７６Ｓが設けられている。分割軸部６９Ｆ，６９Ｓの接触部７６Ｆ，７６Ｓは、互いに当接する平坦な面である。第１カバー体６０Ｆの分割軸部６９Ｆの外面は、図１４に示すように、第１カバー体６０Ｆ及び第２カバー体６０Ｓの合わせ方向に略平行に削り取られた形態をなしている。これにより、第１カバー体６０Ｆの分割軸部６９Ｆの接触部７６Ｆは、第２カバー体６０Ｓの分割軸部６９Ｓの接触部７６Ｓより面積が小さくなっている。
【００５３】
第１カバー体６０Ｆの外縁部７３Ｆは、図４に示すように、外面側が外周に沿って切り欠かれた第１外側端面９０Ｆを有している。第１外側端面９０Ｆは、少なくとも２方向に向かう面、詳しくは、第１カバー体６０Ｆと第２カバー体６０Ｓとの合わせ方向（図４では上下方向）に対して直交する面（以後、第１横面部９１と称する）と、第１カバー体６０Ｆと第２カバー体６０Ｓとの合わせ方向に沿う面（以後、第１縦面部９３と称する）とを備えている。第１縦面部９３は、裏側（図４では上側）から表側（図４では下側）に向かって若干内側に傾いている。また、第１カバー体６０Ｆの外縁部７３Ｆは、第１外側端面９０Ｆの内側に連なる第１内側端面９８を有している。第１内側端面９８は、第１カバー体６０Ｆと第２カバー体６０Ｓとの合わせ方向に対して直交する面である。なお、第１横面部９１の幅寸法（内外方向の寸法）は、第１内側端面９８の幅寸法より大きくされている。
【００５４】
第２カバー体６０Ｓの外縁部７３Ｓは、図４に示すように、内面側が内周に沿って切り欠かれた形状をなし、第１外側端面９０Ｆに対向した第２外側端面９０Ｓを有している。第１外側端面９０Ｆと第２外側端面９０Ｓとの間には、ハンドルカバー６０の内側と外側とを一続きに連通するとともに外側から内側を視認することができない隙間９５が形成されている。第２外側端面９０Ｓは、第１横面部９１と表裏方向（第１カバー体６０Ｆ及び第２カバー体６０Ｓの合わせ方向）に対向する部分（以後、第２横面部９２と称する）と、第１縦面部９３と内外方向に対向する部分（以後、第２縦面部９４と称する）とを備えている。第２横面部９２は、第１内側端面９８より裏側（図４では上側）に位置している。
【００５５】
また、第２カバー体６０Ｓの外縁部７３Ｓは、第２外側端面９０Ｓの内側に連なる第２内側端面９９を有している。第２内側端面９９は、第１内側端面９８と表裏方向に対向する面である。なお、第２内側端面９９は、第２横面部９２と幅寸法が同等とされている。
【００５６】
第１カバー体６０Ｆの外縁部７３Ｆ及び第２カバー体６０Ｓの外縁部７３Ｓは、分割軸部６９Ｆ，６９Ｓを除いた全体において、第１外側端面９０Ｆと第２外側端面９０Ｓとの間、及び第１内側端面９８と第２内側端面９９との間が、それぞれ所定の隙間９５，９６を有して互いに離れた状態で保持されている。なお、第１カバー体６０Ｆの外縁部７３Ｆと第２カバー体６０Ｓの外縁部７３Ｓとは内外方向の寸法（厚さ寸法）が同等とされている。
【００５７】
第１横面部９１と第２横面部９２、第１縦面部９３と第２縦面部９４、及び第１内側端面９８と第２内側端面９９は、それぞれ平行をなしている。第１横面部９１と第２横面部９２との間には、図４では略水平な隙間（外側横隙間９５Ｙと称する）が形成されている。外側横隙間９５Ｙは、第１縦面部９３により内側が遮蔽されている。第１縦面部９３と第２縦面部９４との間には、図４では略垂直な隙間（外側縦隙間９５Ｔと称する）が形成されている。第１内側端面９８と第２内側端面９９との間には、図４では略水平な隙間（内側横隙間９６と称する）が形成されている。
【００５８】
第１カバー体６０Ｆの外縁部７３Ｆには、第１縦面部９３を有する内壁部７５が設けられ、第２カバー体６０Ｓの外縁部７３Ｓには、第２縦面部９４を有する外壁部７８が設けられている。内壁部７５は、第１カバー体６０Ｆの内側の端に位置し、外壁部７８は、第２カバー体６０Ｓの外側の端に位置している。内壁部７５の内面は第２シール面６２を構成している。なお、外壁部７８の内外方向の寸法（壁厚寸法）は、内壁部７５に比して若干大きくされている。
【００５９】
次に、本実施例の美容器Ｍの組み立て作業の一例を説明する。
まず、ハンドルベース２０に第１カバー体６０Ｆを固定する。ハンドルベース２０の収容部２６には予め太陽光電池パネル４０、重り４２及び導電部材４６が収容され、軸筒部２２にはシールリング１４付きの回転軸１２が嵌め込まれている（図５参照）。ハンドルベース２０の固定部２８と第１カバー体６０Ｆの被固定部６４とを突き当てて固定部品Ｆにより固定する。すると、ハンドルベース２０に第１カバー体６０Ｆが固定され、シール部材５０の第１シール部５２Ｆが第１シール面６１に密着するとともに、第２シール部５２Ｓが第２シール面６２に接触して弾性撓みし、第２シール面６２に弾性的に密着した状態になる。これにより収容部２６が二重にシールされた状態で第１カバー体６０Ｆに覆われる。
【００６０】
次に、ハンドルベース２０に第２カバー体６０Ｓを固定する。第２カバー体６０Ｓの掛止め部７２をハンドルベース２０の引掛け部２３に引っ掛け、第２カバー体６０Ｓの分割軸部６９Ｓをハンドルベース２０の軸筒部２２に外嵌させて第１カバー体６０Ｆの分割軸部６９Ｆに合わせる。このようにして第１カバー体６０Ｆ及び第２カバー体６０Ｓをハンドルベース２０に組み付けた状態にし、合わせられた状態の一対の分割軸部６９Ｆ，６９Ｓにリング部材７１を外嵌する。これにより、ハンドルベース２０に第２カバー体６０Ｓが固定され、第１カバー体６０Ｆ、第２カバー体６０Ｓ及びハンドルベース２０が合体状態で保持される。この合体状態では、ハンドルベース２０の当接部５１が第２カバー体６０Ｓの内面に当接し、第１カバー体６０Ｆの外縁部７３Ｆと第２カバー体６０Ｓの外縁部７３Ｓとの隙間９５，９６が狭まることなく確保される。
【００６１】
次いで、回転軸１２に軸受部材１５をＥリング１６により抜け止め状態にして取り付けた後、軸受部材１５に回転体８０を取り付ける。
以上により、美容器Ｍの組み立て作業が完了する。
【００６２】
次に、本実施例の美容器Ｍの使用の一例を説明する。
使用者は、ハンドル１０を把持して一対の回転体８０を顔などの皮膚に当てて転動させることにより、皮膚及びその下部組織が刺激されて血行が良くなる等の美容的作用が発揮される。このとき、ハンドル１０と回転体８０とが使用者の身体を介して電気的に導通した状態になる。太陽光電池パネル４０が、レンズ部材６６を透過した光を受光して発電することにより、使用者の身体に微弱電流が流れて身体の細胞を電気刺激し、細胞の活性化によって美容効果がより高められる。
【００６３】
このような美容器Ｍの使用において、ハンドル１０は使用者に把持され続ける。使用者がハンドル１０を握った状態では、ハンドル１０のうち使用者に把持された部分の外面に、全周にわたって内向きの力が作用する。このとき、第１カバー体６０Ｆの外縁部７３Ｆには、外縁部７３Ｆを表側（図４では下側）に押圧する縦向きの力と、中央側（図４では左右方向における中央側）に押圧する横向きの力とが作用する。また、第２カバー体６０Ｓの外縁部７３Ｓには、外縁部７３Ｓを裏側（図４では上側）に押圧する縦向きの力と、中央側（図４では左右方向における中央側）に押圧する横向きの力とが作用する。
【００６４】
ここで、第１カバー体６０Ｆは、第１カバー体６０Ｆの外縁部７３Ｆに近接した位置が固定部品Ｆによりハンドルベース２０に固定されている。したがって、第１カバー体６０Ｆの外縁部７３Ｆの変形が防がれる。
【００６５】
一方、第２カバー体６０Ｓの外縁部７３Ｓは、ハンドルベース２０の側面部２４Ｓに設けられた当接部５１により変形が防止される。ここで、仮に当接部がハンドルベース２０の中央部２４Ｃに設けられている場合には、外縁部７３Ｓから距離が離れているため、外縁部７３Ｓに作用する力が支持されにくい。また当接部と第２カバー体６０Ｓとの当接方向が縦向き（図４では上下方向）になるため、外縁部７３Ｓに作用する横向きの力（図４では左右方向の力）が支持されにくい。したがって、第２カバー体６０Ｓの外縁部７３Ｓの変形を防ぐことが難しい。これに対し、本実施例の美容器Ｍでは、複数の当接部５１がハンドルベース２０の外縁２４Ｒまたは外縁２４Ｌに沿って外縁２４Ｒまたは外縁２４Ｌに近い位置に設けられている。これにより、当接部５１と外縁部７３Ｓとの距離が近いために、外縁部７３Ｓに作用する力が効果的に支持される。また、当接部５１がハンドルベース２０の側面部２４Ｓに設けられていることにより、当接部５１と第２カバー体６０Ｓとの当接方向が、縦横に対して斜め方向になるため、縦向きの力（図４では上下方向の力）及び横向きの力（図４では左右方向の力）がともに支持される。したがって、第２カバー体６０Ｓの外縁部７３Ｓの変形が防がれる。
こうして、第１カバー体６０Ｆの外縁部７３Ｆと第２カバー体６０Ｓの外縁部７３Ｓとの隙間９５（外側横隙間９５Ｙ及び外側縦隙間９５Ｔ）及び内側横隙間９６が、美容器Ｍを把持する力によって狭まることなく保持される。
【００６６】
次に、上記のように構成された実施例の作用および効果について説明する。
本実施例の美容器Ｍは、使用者が把持するハンドル１０を備えた美容器Ｍであって、ハンドル１０の外面を形成するハンドルカバー６０が、互いに合わせられる第１カバー体６０Ｆ及び第２カバー体６０Ｓを具備している。第１カバー体６０Ｆの外縁部７３Ｆは、外面側が外周に沿って切り欠かれた第１外側端面９０Ｆを有している。第２カバー体６０Ｓの外縁部７３Ｓは、第１外側端面９０Ｆに対向した第２外側端面９０Ｓを備えている。第１外側端面９０Ｆと第２外側端面９０Ｓとの間には、ハンドルカバー６０の内側と外側とを一続きに連通するとともに外側から内側を視認することができない隙間９５が形成されている。この構成によれば、第１カバー体６０Ｆの外縁部７３Ｆと第２カバー体６０Ｓの外縁部７３Ｓとが擦れ合うことを防ぐことができるから、ハンドル１０の軋み音を防ぐことができる。また、第１カバー体６０Ｆの外縁部７３Ｆと第２カバー体６０Ｓの外縁部７３Ｓとの隙間９５からハンドルベース２０が露出することを防ぐことができる。
【００６７】
また、ハンドル１０が、回転体８０を回転自在に支持する支持軸部１１を有し、第１カバー体６０Ｆ及び第２カバー体６０Ｓが、互いに合わせられたときに支持軸部１１の一部を構成する分割軸部６９Ｆ，６９Ｓを有し、分割軸部６９Ｆ，６９Ｓにのみ第１カバー体６０Ｆ及び第２カバー体６０Ｓが互いに接触する接触部７６Ｆ，７６Ｓが設けられている。この構成によれば、第１カバー体６０Ｆ及び第２カバー体６０Ｓの外縁部７３Ｆ，７３Ｓの概ね全体が擦れ合うことを防ぐことで、ハンドル１０の軋み音を効果的に防ぐことができる。また、分割軸部６９Ｆ，６９Ｓが互いに接触した状態に保持されることで支持軸部１１のガタつきを防ぐことができる。
【００６８】
また、ハンドル１０が、ハンドル１０の芯材を構成するハンドルベース２０を有し、第１カバー体６０Ｆ及び第２カバー体６０Ｓが、ハンドルベース２０を内側に挟むようにして合わせられる。この構成によれば、ハンドル１０の強度を高めることができる。
【００６９】
また、ハンドルベース２０に、電気部品が収容される収容部２６が設けられ、ハンドルカバー６０に、収容部２６を覆う第１カバー体６０Ｆが設けられ、収容部２６の周縁部と第１カバー体６０Ｆとに密着して収容部２６に液体が浸入することを防ぐシール部材５０が備えられている。この構成によれば、外縁部７３Ｆ，７３Ｓの隙間９５，９６からハンドルカバー６０内に液体が浸入したとしても、収容部２６内に液体が浸入することを防ぐことができるから、電気部品を保護することができる。
【００７０】
また、第１カバー体６０Ｆが、ハンドルベース２０に固定部品Ｆにより固定され、ハンドルベース２０が、第２カバー体６０Ｓをハンドルベース２０に取り付けた際に当接する点状をなす当接部５１を有しており、当接部５１により第１外側端面９０Ｆと第２外側端面９０Ｓとの隙間９５、及び第１内側端面９８と第２内側端面９９との隙間９５，９６が確保されている。この構成によれば、第２カバー体６０Ｓとハンドルベース２０とが面当たりしないから、第２カバー体６０Ｓとハンドルベース２０とが擦れ合うことを防ぐことができる。したがって、第１カバー体６０Ｆの外縁部７３Ｆと第２カバー体６０Ｓの外縁部７３Ｓとの擦れ合いによる軋み音のみならず、第２カバー体６０Ｓとハンドルベース２０との擦れ合いによるハンドル１０の軋み音をも防ぐことができるから、美容器Ｍの使用感を向上することができる。
【００７１】
＜他の実施例＞
本発明は上記記述及び図面によって説明した実施例に限定されるものではなく、例えば次のような実施例も本発明の技術的範囲に含まれる。
（１）上記実施例では、本発明を、一対の回転体８０を備えた美容器Ｍに適用した場合を例示したが、これに限らず、本発明は、ハンドルを有する美容器であれば各種の美容器に適用することができ、必ずしも一対の回転体を備えていない美容器であってもよい。
（２）上記実施例では、ハンドルカバー６０が表側と裏側とに分割されている美容器Ｍを例示したが、これに限らず、例えばハンドルカバーは、ハンドルの長手方向における一端側と他端側とに分割されたものであってもよい。
（３）上記実施例では、当接部５１がハンドルベース２０の外面に設けられているが、これに限らず、当接部は、ハンドルカバーの内面に設けてもよい。
（４）上記実施例では、ハンドルベース２０に電気部品が収容されているが、これに限らず、ハンドルベースに電気部品が収容されていなくてもよく、またハンドルベースの収容部が単なる空洞であってもよく、さらにはハンドルベースに収容部を設けなくてもよい。
（５）上記実施例では、固定部品Ｆがねじである場合を例示したが、固定部品はねじでなくてもよい。
（６）上記実施例では、分割軸部６９Ｆ，６９Ｓの合わせ部７３に接触部７６Ｆ，７６Ｓが設けられているが、必ずしも接触部は設けなくてもよい。
（７）上記実施例では、電気部品が太陽光電池パネル４０である場合を例示したが、必ずしも電気部品は太陽光電池パネルでなくてもよい。
（８）上記実施例では、第１カバー体６０Ｆの全体がカバー部を構成しているが、これに限らず、例えば収容部がハンドルベースの一部に形成され、第１カバー体の一部がカバー部を構成してもよい。
（９）上記実施例では、第２カバー体６０Ｓとハンドルベース２０とが点状をなす当接部５１により互いに当接しているが、これに限らず、当接部は、例えば線状等をなすものであってもよい。
（１０）上記実施例では、接触部７６Ｆ，７６Ｓが平坦な面とされているが、これに限らず、接触部は、例えば点状の突起であってもよい。
（１１）上記実施例では、ハンドル１０が太陽光電池パネル４０のプラス側電極に接続され、回転体８０がマイナス側電極に接続されているが、このプラスマイナスは逆であってもよい。
（１２）上記実施例では、第１カバー体６０Ｆの外縁部７３Ｆと第２カバー体６０Ｓの外縁部７３Ｓとが、対向する第１内側端面９８と第２内側端面９９とを備えているが、これに限らず、例えば、第２カバー体の外縁部は第２内側端面を備えていない、すなわち第２カバー体の外縁部の厚さ寸法が小さく、内面側が内周に沿って切り欠かれた形状をなしていないものであってもよい。
（１３）上記実施例では、第１カバー体６０Ｆの外縁部７３Ｆ及び第２カバー体６０Ｓの外縁部７３Ｓの厚さ寸法が同等とされているが、これに限らず、一方のカバー体の外縁部の厚さ寸法を他方のカバー体の外縁部の厚さ寸法より大きくしてもよい。
（１４）上記実施例では、第１外側端面９０Ｆが、略直交する第１横面部９１及び第１縦面部９３を備えているが、これに限らず、例えば第１外側端面は、第１横面部から第１縦面部にかけて湾曲した面であってもよい。
【符号の説明】
【００７２】
Ｆ…固定部品
Ｍ…美容器
１０…ハンドル
１１…支持軸部
２０…ハンドルベース
２６…収容部
４０…太陽光電池パネル（電気部品）
５０…シール部材
５１…当接部
６０…ハンドルカバー
６０Ｆ…第１カバー体
６０Ｓ…第２カバー体
６９Ｆ，６０Ｓ…分割軸部
７３Ｆ…外縁部（一方の外縁部）
７３Ｓ…外縁部（他方の外縁部）
７６Ｆ，７６Ｓ…接触部
８０…回転体
９０Ｆ…第１外側端面
９０Ｓ…第２外側端面
９５…隙間
【図１】
2019130027.tif 000003
【図２】
2019130027.tif 000004
【図３】
2019130027.tif 000005
【図４】
2019130027.tif 000006
【図５】
2019130027.tif 000007
【図６】
2019130027.tif 000008
【図７】
2019130027.tif 000009
【図８】
2019130027.tif 000010
【図９】
2019130027.tif 000011
【図１０】
2019130027.tif 000012
【図１１】
2019130027.tif 000013
【図１２】
2019130027.tif 000014
【図１３】
2019130027.tif 000015
【図１４】
2019130027.tif 000016